(57)【要約】【課題】エネルギの浪費を抑えるとともに、部品の交換頻度をへらすことができる空気調節装置を提供する。【解決手段】送風機３と、空気に含まれる異物を捕集する異物捕集手段１５、２１１と、イオン発生手段５とを備え、吸込まれる空気の臭いの強度を検出する臭い強度検出手段７が備えられており、臭い強度検出手段７で検出した臭い強度値が予め決められた値よりも高いとき、イオン量を減らすようにイオン発生手段５を制御する制御手段９を備えている空気調節装置Ａ。【選択図】図６
2012112592.tif 000002
【特許請求の範囲】
【請求項１】
空気を吸込むとともに吹出す送風機と、
前記送風機に吸込まれる空気に含まれる異物を捕集する異物捕集手段と、
前記送風機で吹出される空気にイオンを混入させるイオン発生手段とを備えた空気調節装置であって、
前記吸込まれる空気の臭いの強度を検出する臭い強度検出手段が備えられており、
前記臭い強度検出手段で検出した臭い強度値が予め決められた第１の値よりも高いとき、前記空気に混入させるイオン量を減らすように前記イオン発生手段を制御する制御手段を備えていることを特徴とする空気調節装置。
【請求項２】
前記制御手段は、前記臭い強度検出手段で検出した臭い強度が第１の値よりも低い第２の値よりも低いとき、前記空気に混入させるイオン量を増やすように前記イオン発生手段を制御する請求項１に記載の空気調節装置。
【請求項３】
前記制御手段は、イオン発生量を増やし一定時間運転した後、前記イオン発生量を通常運転時の発生量に戻すように前記イオン発生手段を制御する請求項２に記載の空気調節装置。
【請求項４】
前記イオン発生手段は、放電電極と、前記放電電極との間でコロナ放電を発生させる誘電電極とを有しており、
前記制御手段は、前記臭い強度検出手段で検出した臭い強度が前記第１の値よりも高いとき、前記コロナ放電時の前記放電電極と前記誘電電極との間の電圧値を下げるか又は放電回数を減らすかのすくなくとも一方となるように前記イオン発生手段を制御する請求項１から請求３のいずれかに記載の空気調節装置。
【請求項５】
前記放電電極と前記誘電電極とに印加される電圧はパルス電圧であり、
前記制御手段は、前記パルス電圧のデューティ値を下げるように前記イオン発生手段を制御する請求項４に記載の空気調節装置。
【請求項６】
前記放電電極と前記誘電電極とに印加される電圧が交流電圧であり、
前記制御手段は、前記交流電圧の周波数を下げるように前記イオン発生手段を制御する請求項４に記載の空気調節装置。
【請求項７】
前記制御手段は、前記臭い強度検出手段で検出した臭い強度が前記第２の値よりも低いとき、前記コロナ放電時の前記放電電極と前記誘電電極との間の電圧値を上げるか又は放電回数を増やすかのすくなくとも一方となるように前記イオン発生手段を制御する請求項４から請求６のいずれかに記載の空気調節装置。
【請求項８】
前記制御手段は、前記臭い強度検出手段で検出した臭い強度によって、吹出される空気の量を調整するように、前記送風機を制御する請求項１から請求項７のいずれかに記載の空気調節装置。
【請求項９】
前記制御手段は、前記臭い強度検出手段で検出した臭い強度が前記第１の値よりも高いとき、前記吹出される空気の量を増やすように前記送風機を制御する請求項８に記載の空気調節装置。
【発明の詳細な説明】
【技術分野】
【０００１】
本発明は、送風ファンにより臭いの原因物質を捕集する手段（フィルタなど）を通して送風路に吸込まれた空気に、イオン発生素子で発生するイオンを付加し、吹出口より放出するようにした空気調節装置に関するものである。
【背景技術】
【０００２】
近年、空気中の酸素又は水分に電離によるエネルギを与えることで、正（プラス）及び（又は）負（マイナス）の電荷を有する正イオン（プラスイオン）及び（又は）負イオン（マイナスイオン）を生成するイオン発生器が多数開発されている。このような、正イオン及び負イオンは、空間中に同時に存在する場合、その化学活性によって、居住空間に浮遊している細菌、ウィルス、化学物質等の浮遊粒子を不活性化させ、浮遊細菌、ウィルスを死滅させたり、ホルムアルデヒド等の有害な化学物質を無害な二酸化炭素、水、窒素等に変換したりする。
【０００３】
特開２００７−２１０９９号公報に記載の発明では、このようなイオン発生器を備えた空気清浄機が開示されている。この空気清浄機では、イオン発生器を前記空気清浄機の内部の送風路４０内に配置し、シロッコファンで送出される空気に直接前記正イオン及び負イオンを供給するようにしている。このような空気清浄機では上述しているように、細菌やウィルスを死滅させたり、有害な化学物質を無害な物質に変換したりする効果を有している。また、室内に浮遊している悪臭の原因となる物質も分解されるので、居住空間内部の脱臭の効果も有している。
【０００４】
また、特開２００７−２１０９９号公報に記載の空気清浄機では、空気の脱臭を行うとき、悪臭の原因となる物質をフィルタで捕捉する方法と、室内に放出されたイオンで悪臭の原因となる物質を分解する方法とを併用している。そして、この空気清浄機は、室内空間にイオン濃度の高い空気を室内の隅々にいきわたらせることができるとしている。
【０００５】
また、特開平２−１６４４１７号公報には、ガスセンサを備えた空気清浄機であって、前記ガスセンサからの出力（臭いの強度：予め決められた臭い成分の濃度）によって、送風機の風量を増減する制御を行う空気清浄機が開示されている。この空気清浄機によると、室内空気の臭い強度が高い（臭い成分の濃度が濃い）とき、前記送風機の風量を大きくし、空気清浄機に吸引される空気を増やすことで、室内の臭い成分を迅速にフィルタで捕集し、迅速に脱臭している。
【先行技術文献】
【特許文献】
【０００６】
【特許文献１】特開２００７−２１０９９号公報
【特許文献２】特開平２−１６４４１７号公報
【発明の概要】
【発明が解決しようとする課題】
【０００７】
特開２００７−２１０９９号公報に記載の空気清浄機では、イオンを室内の隅々に行きわたらせることができるので、室内空間の空気の臭いの強度が一定又は予め決められた範囲内の場合、フィルタによる脱臭及びイオンによる脱臭の効果が高い。しかしながら、室内の空気の臭いの強度が強くなると、フィルタによる脱臭能力は十分に発揮されるが、室内空間の空気に含まれる臭いの原因となる物質が多すぎ、通常運転時のイオン濃度では、脱臭処理に時間がかかる。また、臭いの強度が弱くなった場合、イオンによる脱臭能力は十分に発揮されるが、フィルタでの臭いの原因となる物質の捕集に時間がかかる。すなわち、この空気清浄機では、室内空間の空気の臭いの強度が変動すると、脱臭の処理に時間がかかったり、無駄が多かったりする。
【０００８】
また、特開平２−１６４４１７号公報に記載の空気清浄機では、臭いの強度が高くなった場合、ファンの風量を上げるのでフィルタによる脱臭能力により、脱臭時間を短縮することができる。しかしながら、ファンは或る一定の風量以下で駆動することができないので、過剰な風量で運転を続けるか、臭いの強度が一定のレベルに達するまで、停止するかの制御を行うことになる。過剰な風量で運転する場合、脱臭は行われるが、無駄なエネルギ消費を行うこととなる。また、ファンを停止する制御を行う場合、臭いの強度がファンの運転／停止を決定する閾値あたりで変動すると、ファンが運転／停止を繰り返し、騒音や装置への負荷の原因となる。
【０００９】
そこで本発明は、設置された空間の空気に含まれる悪臭の原因となる物質の濃度にあわせて、駆動を切り換え、エネルギの浪費を抑えるとともに、部品の交換頻度を減らすことができる空気調節装置を提供することを目的とする。
【課題を解決するための手段】
【００１０】
上記目的を達成するために本発明は、空気を吸込むとともに吹出す送風機と、前記送風機に吸込まれる空気に含まれる異物を捕集する異物捕集手段と、前記送風機で吹出される空気にイオンを混入させるイオン発生手段とを備えた空気調節装置であって、前記吸込まれる空気の臭いの強度を検出する臭い強度検出手段が備えられており、前記臭い強度検出手段で検出した臭い強度値が予め決められた値よりも高いとき、前記空気に混入させるイオン量を減らすように前記イオン発生手段を制御する制御手段を備えていることを特徴とする。
【００１１】
この構成によると、室内の臭い強度が高いとき、すなわち、臭いの原因成分の濃度が高いとき、イオン発生手段からのイオンの発生量を抑えることで、効率の悪いイオンによる脱臭を抑制する。これにより、イオンによる脱臭の効率が低いときに前記イオン検出手段の能力を抑えて駆動するので、前記イオン発生手段の劣化を抑制することができる。これにより、前記イオン発生手段の交換頻度を下げることができる。
【００１２】
上記構成において、前記制御手段は、前記臭い強度検出手段で検出した臭い強度が予め決められた値よりも低いとき、前記空気に混入させるイオン量を増やすように前記イオン発生手段を制御してもよい。
【００１３】
上記構成において、前記制御手段は、イオン発生量を増やし一定時間運転した後、前記イオン発生量を通常運転時の発生量に戻すように前記イオン発生手段を制御してもよい。
【００１４】
上記構成において、前記イオン発生手段は、放電電極と、前記放電電極との間でコロナ放電を発生させる誘電電極とを有しており、前記制御手段は、前記臭い強度検出手段で検出した臭い強度が予め決められた値よりも高いとき、前記コロナ放電時の前記放電電極と前記誘電電極との間の電圧値を下げるか又は放電回数を減らすかのすくなくとも一方となるように前記イオン発生手段を制御するようにしてもよい。
【００１５】
上記構成において、前記放電電極と前記誘電電極とに印加される電圧はパルス電圧であり、前記制御手段は、前記パルス電圧のデューティ値を下げるように前記イオン発生手段を制御するようにしてもよい。
【００１６】
上記構成において、前記放電電極と前記誘電電極とに印加される電圧が交流電圧であり、前記制御手段は、前記交流電圧の周波数を下げるように前記イオン発生手段を制御するものであってもよい。
【００１７】
上記構成において、前記制御手段は、前記臭い強度検出手段で検出した臭い強度が予め決められた値よりも低いとき、前記コロナ放電時の前記放電電極と前記誘電電極との間の電圧値を上げるか又は放電回数を増やすかのすくなくとも一方となるように前記イオン発生手段を制御してもよい。
【００１８】
上記構成において、前記制御手段は、前記臭い強度検出手段で検出した臭い強度によって、吹出される空気の量を調整するように、前記送風機を制御してもよい。このとき、前記制御手段は、前記臭い強度検出手段で検出した臭い強度が予め決められた値よりも高いとき、前記吹出される空気の量を増やすように前記送風機を制御してもよい。
【発明の効果】
【００１９】
本発明によると、設置された空間の空気に含まれる悪臭の原因となる物質の濃度にあわせて、駆動を切り換え、エネルギの浪費を抑えるとともに、部品の交換頻度をへらすことができる空気調節装置を提供することができる。
【図面の簡単な説明】
【００２０】
【図１】本発明にかかる空気調節機の一例である脱臭機の概略配置を示す図である。
【図２】図１に示す脱臭機の制御部の接続を示すブロック図である。
【図３】イオン発生器の正面図である。
【図４】イオン検出器の正面図である。
【図５】図１の脱臭機をＶ−Ｖ線で切断したときのダクト、イオン発生器及びイオン検出器を示した断面図である。
【図６】図１、図２等に示す脱臭機の動作モードを示すフローチャートである。
【図７】図１、図２に示す脱臭機の動作モードの他の例を示すフローチャートである。
【図８】図７の運転モードの変形例のフローチャートである。
【発明を実施するための形態】
【００２１】
以下に本発明の実施形態について図面を参照して説明する。図１は本発明にかかる空気調節機の一例である脱臭機の概略配置を示す図であり、図２は図１に示す脱臭機の制御部の接続を示すブロック図である。図１に示すように、脱臭機Ａは、本体ケース１と、本体ケース１の背面側に取り付けられる背面カバー２とを備えている。また、本体ケース１の内部には、送風機３と、ダクト４と、イオン発生器５（イオン発生手段）と、イオン検出器６と、臭いセンサ７（臭い強度検出手段）とを備えている。また、図２に示しているように、脱臭機Ａには、送風機３、イオン発生器５、表示部８１、操作部８２、イオン検出器５、臭いセンサ７等が接続された制御部９（制御手段）を備えている。
【００２２】
本体ケース１は、中空の箱状の部材であり、背面側に背面カバー２を取り付けるための凹形状の係合部１１を備えている。また、本体ケース１の上面には、吹出口１２が形成されており、吹出口１２には、複数個（ここでは、２個）のルーバー１２１が備えられている。そして、係合部１１には、上部にイオン発生器５が挿入される挿入口１１１と、下部に空気を本体ケース１の内部に吸込む吸込口１３が形成されている。なお、図１に示しているように、吸込口１３は複数のスリット状の貫通孔が形成されているものであるが、これに限定されるものではなく、空気を本体ケース１の内部に吸込むことができる形状のものを広く採用することができる。また、臭いセンサ７が本体ケース１の下部に配置されており、本体ケース１の背面側の下部、臭いセンサ７に近接した部分には、外部の空気を臭いセンサ７に導くためのセンサ用吸込口１４が形成されている。
【００２３】
なお、図１に示す、本体ケース１では、吸込口１３は背面側に形成されているが、これに限定されるものではなく、送風機３が効果的に本体ケース１の外部の空気を吸込むことができる位置に形成されていることが好ましい。同様に、センサ用吸込口１４は本体ケース１の背面側の下部に限定されるものではなく、送風機３の吸込み動作によって外部の空気を吸込むことができる場所で、内側に臭いセンサ７を配置できる場所とすることが可能である。
【００２４】
背面カバー２には、複数の貫通孔に取り付けられたフィルタ２１１（異物捕集手段）を含むフィルタ付き吸込口２１とを備えている。背面カバー２と吸込口１３との間には、フィルタ１５（異物捕集手段）が取り付けられている。なお、背面カバー２のフィルタ付き吸込口２１のフィルタ２１１は、塵埃等の比較的大きな浮遊物の通過を抑制する粗いものであり、フィルタ１５は活性炭等を用い、細菌やウィルス等の細かい浮遊物を捕集する目の細かいものである。
【００２５】
送風機３は、本体ケース１の下部に、吸込口１３に近接して配置されている。送風機３が駆動されることで、脱臭機の外部の空気は背面カバー２の貫通孔及び吸込口１３を通過して吸込まれる。送風機３は、シロッコファンであり、ファンケーシング３１と、ファンケーシング３１に回転自在に内挿されたファン３２とが備えられている。ファン３２はファンモータ３３（図２参照）に連結されており、ファンモータ３３が回転することで回転する。なお、ファン３２とファンモータ３３の出力軸とは、直接連結されていてもよく、減速機等の伝達機構を介して接続されていてもよい。
【００２６】
送風機３のファンケーシング３１はファン吹出口３１１が上部に向くように、本体ケース１に取り付けられている。ファン３２が駆動することで、脱臭機Ａの外部の空気（室内の空気）が吸込口１３及びフィルタ付き吸込口２１を通過して本体ケース１の内部に吸込まれる。このとき、センサ用吸込口１４からも外部の空気が吸込まれ、外部の空気の臭い強度が臭いセンサ７で測定される。なお、臭いセンサ７は従来よく知られた臭いの強度を数値化するものであり、詳細は省略する。本体ケース１に吸込まれた空気は、ファンケーシング３１の内部に取り込まれ、ファン吹出口３１１から吹出される。
【００２７】
ファン吹出口３１１がダクト４の入口に接続されており、ファン吹出口３１１から吹出された空気は、ダクト４の内部の送風路４０を下側から上側に流れる。以下、送風路４０内での空気の流れ方向を送風方向と呼ぶ。ダクト４の出口は、本体ケース１に設けられた吹出口１２に接続されており、送風路４０を通過した空気は、吹出口１２より外部に吹出される。次に、ダクト４について説明する。ダクト４は角筒状に形成されており、本体ケース１と一体に形成されている。
【００２８】
図１に示すように、ダクト４は送風路４０の断面積が小さい中間部４１と、中間部４１の下端と連結し、中間部４１に向かって断面積が縮小する絞り部４２と、中間部４１の上端と連結し、中間部４１から離れるに従って断面積が拡大する拡散部４３とを有している。中間部４１、絞り部４２及び拡散部４３は一体で成形されており、滑らかな内面を有している。ダクト４では、絞り部４２の端部がファン吹出口３１１と、拡散部４３の端部が吹出口１２とそれぞれ接続されている。なお、送風機３のファン吹出口３１１に絞り部４２が接続されていることで、ファン３２に一定の負荷をかけることができ、ファン３２を駆動するファンモータ３３が過電流状態になるのを抑制している。
【００２９】
図１に示しているように、イオン発生器５は本体ケース１の係合部１１の上部に形成された挿入口１１１に挿入されている。イオン発生器５及びイオン検出器６について新たな図面を加えて詳しく説明する。図３はイオン発生器の正面図であり、図４はイオン検出器の正面図であり、図５は図１の脱臭機をＶ−Ｖ線で切断したときのダクト、イオン発生器及びイオン検出器を示した断面図である。
【００３０】
イオン発生器５は、プラスイオン（Ｈ+（Ｈ2Ｏ）m：ｍは任意の自然数）及びマイナスイオン（Ｏ2-（Ｈ2Ｏ）n：ｎは任意の自然数）を発生するものである（以下、単にイオンという場合、プラスイオン及びマイナスイオンの両方が含まれたものとする）。プラスイオン及びマイナスイオンは同時に存在する場合、その化学活性によって、居室空間において浮遊粒子を不活性化させ、浮遊細菌やウィルスを死滅させるとともに臭気成分（アンモニア等）を変性させる脱臭効果を有している。
【００３１】
図１、図５に示すように、イオン発生器５は、イオン発生ユニット５１と、イオン発生ユニット５１を収容する収容ケース５２とを備えている。収容ケース５２は、上部が前方に突出した断面逆Ｌ字形状（図１参照）であり、突出した部分の前面にイオン放出部５３が形成されている。また、収容ケース５２にはピンコネクタ５４が備えられており、本体ケース１のソケット１６と接続されている。このピンコネクタ５４とソケット１６によって、本体ケース１に備えられている制御部９と、収容ケース５２に備えられている高電圧発生回路５５とが電気的に接続される（図２参照）。
【００３２】
図３、図５に示すように、収容ケース５２の前方に突出した部分を含む上部にイオン発生ユニット５１が収容されている。イオン発生ユニット５１は、支持基板５１０と、支持基板５１０に取り付けられた放電電極５１１と、同じく支持基板５１０に取り付けられた誘電電極５１２とを備えている。放電電極５１１は針電極であり、中心軸線が支持基板５１０と直交するように取り付けられている。誘電電極５１２は放電電極５１１を一定の間隔で取り囲む環状の電極である。放電電極５１１と誘電電極５１２とは対を成しており、２対の放電電極５１１と誘電電極５１２が左右に一定の間隔をあけて並べて支持基板５１０に取り付けられている。なお、イオン発生ユニット５１を収容ケース５２内に収容したとき、２対の放電電極５１１及び誘電電極５１２がイオン放出部５３の後述する２個の貫通孔５３０のそれぞれと対向するように配置されている。
【００３３】
高電圧発生回路５５が２対の放電電極５１１及び誘電電極５１２に電圧（以下、電極電圧という）を印加し、放電電極５１１と誘電電極５１２との間でコロナ放電を発生させる。このコロナ放電によって、２対の放電電極５１１と誘電電極５１２のうち、一方ではプラスイオンが他方ではマイナスイオンが発生する。なお、それぞれの放電電極５１１と誘電電極５１２から発生するプラスイオン又はマイナスイオンの発生量は、放電回数、放電電極５１１と誘電電極５１２とに印加される電圧によって変化する。すなわち、放電回数が多いほど、また、電極電圧値が高いほど、イオン発生量が多くなる。
【００３４】
高電圧発生回路５５は、放電電極５１１及び誘電電極５１２にパルス電圧（直流）を印加する構成であり、電極電圧値及びパルス電圧のデューティ値を変更することができる。パルス電圧のデューティ値を変化させることで放電回数を変化させることができる。すなわち、パルス電圧のデューティ値を上げることで放電回数を増やすことができる。また、高電圧発生回路５５は放電電極５１１に放電電極５１１に高電圧を、誘電電極５１２に低電圧を印加する回路であり、電極電圧値及びデューティ値の調整は、放電電極５１１に印加する電圧で調整している。これに限定されるものではなく、誘電電極５１２に印加する電圧で調整するようにしてもよい。さらに、放電電極５１１に印加する電圧で調整する構成の場合、誘電電極５１２は接地されていてもよい。
【００３５】
また、高電圧発生回路５５は、電極電圧としてパルス電圧を印加する回路であるが、交流を印加する構成であってもよい。交流を印加する場合、デューティ値の変わりに周波数を変更することで、放電回数を調整することができる。すなわち、交流電圧の周波数を上げることで、放電回数を増やすことができる。
【００３６】
図３、図５に示すように、イオン放出部５３には、イオン発生器５で発生したイオンを放出するための貫通孔５３０が左右に２個備えられている。また、図３、図５に示すように、２対の放電電極５１１と誘電電極５１２とはそれぞれ２個の貫通孔５３０のそれぞれと対向するように配置されており、各放電電極５１１及び誘電電極５１２から発生したプラスイオン及びマイナスイオンは、それぞれ対向した貫通孔５３０を通ってイオン発生器５の外部に放出される。そして、イオン放出部５３の前面に、各貫通孔５３０を跨ぐアーチ状のガードリブ５１３がそれぞれ設けられている。ガードリブ５１３が貫通孔５３０を跨いで設けられているので、イオン発生器５が本体ケース１から取り外されているとき、ユーザが貫通孔５３０の内部の放電電極５１１に直接触れるのを抑止している（図３参照）。
【００３７】
図１に示すように、イオン発生器５が本体ケース１に取り付けられたとき、ガードリブ５１３は、送風路４０内に突出し、送風方向と平行になるように、収容ケース５２に配されている。図３、図５に示しているように、左右のガードリブ５１３は、対応する貫通孔５３０に対する位置が異なっている。すなわち、イオン放出部５３の左右中心に対して、異なる距離離れた位置に配されている。これは、送風機３から吹出される空気の流量の偏りによって、プラスイオンとマイナスイオンのイオンバランスが崩れるのを抑制するためである。
【００３８】
このことを詳しく説明すると、送風機３は、吸込む方向と吹出す方向とが異なるので、ファン吹出口３１１から吹出される空気の流量に偏りが発生している。このように流量に偏りのある空気の流れにイオンを放出すると、左右でプラスイオンとマイナスイオンのイオンバランスが崩れやすい。そこで、流量が多くなる側のガードリブ５１３を中央寄りに、流量が少なくなる側のガードリブ５１３を外側寄りに配する（図３、図５参照）。これにより、流量が多くなる側では、ガードリブ５１３により、貫通孔５３０の前方を通る空気の一部を遮り、空気の流量の偏りを軽減し、空気の流量の偏りによる左右の（プラス、マイナスの）イオンバランスの崩れを抑制する。
【００３９】
次に、イオン発生器５を本体ケース１に対する着脱について説明する。まず、イオン発生器５を本体ケース１に取り付ける場合を説明し、その後、取り外す場合を説明する。イオン発生器５は、背面カバー２を外した状態で、係合部１１に形成された挿入口１１１に挿入されることで取り付けられる。イオン発生器５は、収容ケース５２の外面部に備えられた係合爪５２１と、収容ケース５２の下部の前面に配されたピンコネクタ５４とを備えている。イオン発生器５は、挿入口１１１に挿入されたとき、収容ケース５２に形成されている係合爪５２１が本体ケース１に形成されている弾性係合部（不図示）に引っ掛かることで、本体ケース１に装着される。イオン発生器５が本体ケース１に装着されることで、発生孔４１１よりイオン放出部５３がダクト４に形成された発生孔４１１に挿入され、イオン放出部５３が送風路４０内に露出する。また、ダクト４の発生孔４１１と対向する位置には検出孔４１２が形成されており、イオン検出器６が検出孔４１２に固定されている。
【００４０】
また、イオン発生器５を取り外すには、背面カバー２を外し、イオン発生器５を本体ケース１の背面側に強く引っ張ることで、弾性係合部が変形し、係合爪５２１との係合がはずれ、イオン発生器５が本体ケース１の背面側に引き抜かれる。このように、イオン発生器５は脱臭機Ａに対して着脱可能となっている。そして、収容ケース５２は開閉可能となっており、収容ケース５２では、イオン発生ユニット５１を取り出すことができるようになっている。このように、イオン発生器５は、イオン発生ユニット５１をカートリッジとして取り扱うことができる。例えば、イオン発生器５が寿命に達したとき、古いイオン発生ユニット５１と新しいイオン発生ユニット５１とを交換すればよく、メンテナンスが容易である。また、取り出した古いイオン発生ユニットは、分解された後、再生される。
【００４１】
また、イオン発生器５には、記憶部５６が備えられている。記憶部５６はＥＥＰＲＯＭ等の書き換え可能な不揮発メモリを備えている。記憶部５６には、イオン発生器５に関する情報、例えば、識別情報、製造年月日情報、リサイクル回数等が格納されている。制御部９は、イオン発生器５の記憶部５６よりこれらの情報を読み出す。メモリ９１に予め使用可能なイオン発生器５の識別番号情報が格納されており、制御部９はメモリ９１の識別情報とイオン発生器５から読み出した識別情報とを照合する。識別情報が一致すれば、脱臭機Ａで使用可能なイオン発生器５であるとして、動作を許容する。識別情報が一致しない場合、使用不可なイオン発生器５であるとして、動作を禁止する。このように、イオン発生器５の識別情報を管理することで、誤ったイオン発生器５が取り付けられて駆動されるのを防ぐことができるとともに、粗悪な模倣品を排除する効果もある。また、制御部９が製造年月日情報及びリサイクル回数の情報を読み出し、それらが予め決められている条件に当てはまれば、ユーザに対して、使用期限が切れている、許容できるリサイクル回数を超えていること警告する表示を表示部８１に行うようにしてもよい。また、記憶部５６として、不揮発メモリ以外にも、非接触で情報をやり取りできるＩＣタグを用いてもよい。
【００４２】
次に、ダクト４の検出孔４１２に取り付けられるイオン検出器６について説明する。図２、図４に示すように、イオン検出器６は、回路基板６１と、回路基板６１に取り付けられたイオン捕集電極６２と、回路基板６１に取り付けられたイオン検出回路６３とを備えている。イオン捕集電極６２は、銅テープにより形成され、イオン発生器５より発生したイオンを捕集するイオン捕集体である。イオン検出回路６３は回路基板６１のイオン捕集電極６２の反対側の面に実装されており、イオン捕集電極６２と回路基板６１内において電気的に接続されている。イオン検出回路６３は、制御部９に接続されており、イオン捕集電極６２で捕集されたイオンに応じた信号を制御部９に送る。なお、イオン検出回路６３は、整流用ダイオード、Ｐ−ＭＯＳ型ＦＥＴ等から構成される公知の回路であり、回路の詳細については省略する。
【００４３】
イオン検出器６は、プラスイオン又はマイナスイオンのいずれか一方のイオンを検出する。イオン捕集電極６２は、イオン発生器５で発生したプラスイオン又はマイナスイオンのいずれか一方のイオンを捕集すると、電位が上昇する。このとき、イオン捕集電極６２の電位は捕集されたイオンの量に応じて変化する。すなわち、捕集されたイオンの量が多いと、イオン捕集電極６２の電位は高く、捕集されたイオンの量が少ないと、イオン捕集電極６２の電位は低い。イオン検出回路６３は、イオン捕集電極６２で発生した電位に応じた出力電圧を制御部９に出力する。
【００４４】
イオン捕集電極６２は、検出する極性（プラス又はマイナス）のイオンが放出される一方の貫通孔５３０（放電電極５１１）と対向するように配置されている。他方の貫通孔５３０（放電電極５１１）と対向する位置には、イオン捕集電極６２が配置されない。このように、イオン捕集電極６２を配置することで、イオン捕集電極６２は、検出する対象の極性を有するイオンを集中的に捕集することができる。
【００４５】
イオン発生器５からは、プラスイオンとマイナスイオンが同量（略同量）発生している。イオン検出器６では、イオン捕集電極６２が検出する対象の極性を有するイオンだけでなく、逆の極性を有するイオンを捕集する可能性もある。イオン捕集電極６２で逆の極性のイオンを捕集してしまうのを防ぐため、イオン検出器６には、保護体６４が設けられている。保護体６４は金属製の板材であり、回路基板６１のイオン捕集電極６２と並んで設けられている。保護体６４は検出する対象の極性のイオンと逆極性のイオンを放出する貫通孔５３０（放電電極５１１）に対向するように配置されている。検出する対象の極性のイオンはイオン捕集電極６２に捕集され、逆の極性のイオンは保護体６４に捕集される。これにより、検出する対象と逆極性のイオンがイオン捕集電極６２で捕集されるのを抑制することができる。また、イオン捕集電極６２と保護体６４とは電気的に絶縁されており、保護体６４がイオンの捕集することで、保護体６４の電位が変化してもイオン捕集電極６２のイオンの捕集による電位の変化に影響しない。
【００４６】
イオン検出器６は、イオン発生器５のイオン放出部５３と対向し、イオン捕集電極６２が送風路４０に露出するように、ダクト４の検出孔４１２に嵌め込まれる。イオン発生器５とイオン検出器６とは、予め決められた一定の間隔をあけて対向している。放電電極５１１と誘電電極５１２との間のコロナ放電によって発生するイオンは、イオン検出器６に向かって広がり、放電電極５１１の先端を中心にしてドーム状に高濃度のイオンが分布する。放電電極５１１の先端と相対するダクト４の壁やイオン検出器６が近すぎると、放電電極５１１との間で放電が発生してしまうことがあり、不安定な放電となってしまう。そのため、イオン発生器５の前面からイオン検出器６までの距離は、ダクト４の壁やイオン検出器６がイオンの発生を阻害しない距離（例えば１０ｍｍ）以上としている。
【００４７】
なお、ダクト４の中間部４１の最も狭い部分での前後方向の幅は、このイオンの発生を阻害しない距離を基に決定される。一方、この幅の上限値は、イオン発生器５を搭載する機器の大きさによって決定される。これにより、イオン発生器５はイオンを安定して発生することができる。また、イオン発生器５のイオン放出部５３とイオン検出器６との間には、発生直後の最も濃度が濃い状態のイオンが存在するので、イオン検出器６はイオンの発生を正確に検出することができる。
【００４８】
次に脱臭機Ａの制御部の電気的な接続について図面を参照して説明した後、脱臭機Ａの動作について説明する。制御部９は、主に送風機３とイオン発生器５とを制御するものであり、内部にＣＰＵ等の演算処理部を備えている。図２に示すように、制御部９の信号が入力される入力側には、イオン検出器６、臭いセンサ７及び操作部８２等が接続されている。また、制御部９の信号を出力する出力側には、送風機３、イオン発生器５及び表示部８１等が接続されている。そして、情報を記録する或いは情報が予め記録されているメモリ９１及び時間を計測するための計時部９２も制御部９に接続されている。なお、メモリ９１及び計時部９２は制御部９の内部に含まれていてもよい。
【００４９】
イオン検出器６は、イオン検出回路６３が制御部９に接続されており、イオン捕集電極６２で捕集されたイオンを検出し、その情報を制御部９に送る。制御部９は、検出されたイオンの情報を基に、イオン発生器５から発生されているイオン量を検出し、後述する各イオン発生モードで定義されている規定値内のイオンが発生しているかどうか判断する。なお、規定値に達していないときは、制御部９は発生するイオンの量を増ふやすように、また、規定値を超えているときは、イオンの量を減らすようにイオン発生器５を制御する。
【００５０】
臭いセンサ７はセンサ用吸込口１４から吸込まれた空気の臭いの強度を数値化するものであり、数値化された臭いの強度を制御部９に送信する。制御部９は、臭いセンサ７からの臭い強度をもとに、脱臭機Ａ（主にイオン発生器５）の制御を行う。脱臭機Ａの制御の詳細については、後述する。
【００５１】
操作部８２は、本体ケース１の外側上部に備えられている。操作部８２は電源の投入、タイマーの設定、脱臭強さのマニュアル操作等、ユーザによる操作を受け付けるユーザインターフェースである。通常、操作部８２は脱臭機Ａの動作状態、現在の時間、室内の状態等を表示するための表示部８１と近接して配置されることが多い。また、近年、操作部８２と表示部８１とが一体化されたタッチパネル型の操作表示部もあり、この場合、表示部８１の表示を切替えて或いは表示部８１の一部に操作部８２の画像を表示し、ユーザは操作表示部の表面のタッチパネルに触れることで、操作入力することが可能である。
【００５２】
制御部９は、操作部８２からの入力を基に、ユーザが所望する室内環境を達成するため、出力側の機器（送風機３、イオン発生器５）の制御を行う。
【００５３】
図２に示しているように、制御部９は送風機３のファンモータ３３が接続されている。制御部９は、ファンモータ３３の回転数を制御することで、送風機３から吹出される空気の流量を調整している。
【００５４】
図２に示すイオン発生器５では、便宜上、放電電極５１１と誘電電極５１２を１対だけ表示しているが、実際には、放電電極５１１及び誘電電極５１２を対として２対を備えている。なお、放電電極５１１及び誘電電極５１２の対ごとに高電圧発生回路５５が備えられていてもよく、１つの高電圧発生回路５５に放電電極５１１及び誘電電極５１２が２対取り付けられていてもよい。
【００５５】
イオン発生器５において、高電圧発生回路５５は、制御部９からの指示に従って、放電電極５１１と誘電電極５１２とに直流のパルス電圧を印加する回路である。高電圧発生回路５５は、パルス電圧のデューティ値を変更することができる回路であり、デューティ値が高くなればなるほど放電電極５１１と誘電電極５１２との間のコロナ放電の回数が増え、イオンの発生量が多くなる。また、高電圧発生回路５５は放電電極５１１と誘電電極５１２に印加される電極電圧も調整することが可能であり、電極電圧を大きくすることで放電によるイオン発生量が増加する。
【００５６】
次に本発明の要部である、イオン発生器を用いた空気調節装置（脱臭機）について説明する。脱臭機Ａは、フィルタ１５、２１１を空気が通過するときに、浮遊細菌や浮遊物質等の臭いの原因物質を捕集し、吸込口１３から吸込まれる（吹出口１２から吹出される）空気の脱臭を行っている。それと同時に脱臭機Ａは、イオン発生器５より発生されたプラスイオン及びマイナスイオンを送風機３の空気の流れに乗せ、吹出口１２より吹出し、室内の空気に含まれる臭いの原因物質を分解除去している。
【００５７】
このような、臭いの原因物質をフィルタ等で捕集する方法と、イオンによる臭いの原因物質を分解する方法とを備えた脱臭機Ａでは、室内の臭いの強度が高いとき（臭いの原因物質の濃度が高いとき）、イオン発生器５で可能な限り多くのイオンを発生したとしても、臭いの原因物質が多すぎてイオンの発生量が追いつかず脱臭効率が悪いことがわかっている。一方で、フィルタを通過する空気には多くの臭いの原因物質の量が含まれているので、臭いの原因物質をフィルタで捕集する脱臭方法は、室内の臭い強度が低いときに比べ効率がよい。
【００５８】
また、室内の臭いの強度が低いとき、フィルタを通過する空気に含まれる臭いの原因物質の量が少ないので、臭いの原因物質をフィルタで捕集する脱臭方法は効率が悪い。一方で、イオンは脱臭機Ａの吹出口１２より噴出される空気に乗って室内空間にいきわたり、浮遊している臭いの原因物質を分解するので、効率がよい。なお、上述の臭い強度が高い又は低いとは、予め決められた状態（標準状態）の室内空間における臭い強度と比較しているものである。
【００５９】
以上の各状態に対応するため、制御部９は、電極電圧及びデューティ値をともに最大とした強イオンモード、電極電圧及びデューティ値をともに予め決められた値（標準状態における運転時の値）とした標準イオンモード及び、電極電圧及びデューティ値をともに最小とした弱イオンモードの３つのイオン発生モードで高電圧発生回路５５を制御する。各イオン発生モードの電極電圧及びデューティ値は、メモリ９１に予め備えられているものである。なお、イオン発生モードを３段階に分けているがこれに限定されるものではなく、２段階又は４段階以上としてもよい。イオン発生モードが複数設けられている場合、制御部９は、前回の運転実績及び（又は）総運転実績を基に、電極電圧及びデューティ値を算出し、その値をメモリ９１に格納し呼び出すようにしてもよい。また、標準状態は、固定のものであってもよく、制御部９が直前の動作状態及び（又は）直前の動作状態をもと決定されるものであってもよい。また、操作部８１からの操作をもとに決定されるものであってもよい。
【００６０】
臭い強度と、イオンで臭いの原因物質を分解することよる脱臭及びフィルタで臭いの原因物質を捕集することによる脱臭を切り換えて効率よく脱臭する脱臭機Ａの運転について図面を参照して説明する。図６は図１、図２等に示す脱臭機の動作モードを示すフローチャートである。ここで、脱臭機Ａの動作モードについて説明する。脱臭機Ａは、脱臭強度を変化させることができるものであり、ユーザ自ら脱臭強度を設定するマニュアルモードと、脱臭強度の設定を脱臭機Ａが決定するオートモードとを備えている。図６に示すフローチャートは、オートモード運転時の脱臭機の動作を示している。
【００６１】
図６に示しているように、脱臭機Ａの電源が投入され、オートモード運転が開始されると、制御部９は、ファンモータ３３を回転させ、脱臭機Ａの外部の外部空気を取り込む。このとき、制御部９は臭いセンサ７を起動させ、臭いセンサ７で外部空気の臭いを検出し、その臭いの強度を臭い強度Ｍ１として臭いセンサ７より受け取る（ステップＳ１１）。
【００６２】
臭い強度Ｍ１を受け取った制御部９は、予め決められている臭い強度の第１基準値αと比較する（ステップＳ１２）。臭い強度Ｍ１が第１基準値αよりも高いとき（ステップＳ１２でＹＥＳのとき）、制御部９は室内の臭いの強度が強いと判断し、脱臭機Ａをフィルタ１５、２１１による脱臭をイオンによる脱臭より強くする、すなわち、イオン発生器５を弱イオンモードで運転する（ステップＳ１３）。
【００６３】
イオン発生器５を弱イオンモードで駆動するとき、制御部９は、メモリ９１より電圧値及びデューティ値の最小値をそれぞれ呼び出し、イオン発生器５の高電圧発生回路５５から出力されるパルス電圧を最小電圧値及び最小デューティ値にする指示を送る。高電圧発生回路５５は制御部９からの指示をもとに、放電電極５１１と誘電電極５１２に最小電圧値及び最小デューティ値のパルス電圧を印加する。
【００６４】
これにより、イオン発生器５で発生されるイオンの発生量は最小であるが、フィルタ１５、２１１を通過する空気に多くの臭いの原因物質が含まれており、その臭いの原因物質がフィルタで捕集されるので、室内の空気は効果的に脱臭される。放電電極５１１と誘電電極５１２とに印加される電圧値が低く、放電回数も少なくなるので、放電電極５１１と誘電電極５１２にかかる負担が小さい。
【００６５】
臭い強度Ｍ１が第１基準値αよりも低かったとき（ステップＳ１２でＮＯのとき）、制御部９は、臭い強度Ｍ１が第２基準値βと比較する（ステップＳ１４）。臭い強度Ｍ１が第２基準値βよりも低いとき（ステップＳ１４でＹＥＳのとき）、制御部９は室内の臭い強度が弱いと判断し、イオンによる脱臭を強くする、すなわち、イオン発生器５を強イオンモードで運転する（ステップＳ１５）。
【００６６】
イオン発生器５を強イオンモードで駆動するとき、制御部９は、メモリ９１より電圧値及びデューティ値の最大値をそれぞれ呼び出し、イオン発生器５の高電圧発生回路５５から出力されるパルス電圧を最大電圧値及び最大デューティ値にする指示を送る。高電圧発生回路５５は制御部９からの指示をもとに、放電電極５１１と誘電電極５１２に最大電圧値及び最大デューティ値のパルス電圧を印加する。
【００６７】
これにより、イオン発生器５で発生される量が最大となり、多くのイオンを脱臭機Ａの吹出口１２より吹出す空気に乗せて室内に広くいきわたらせることができる。これにより、臭いの原因物質を室内に広がったイオンで分解除去できるので、効率よく室内の臭いの原因物質を除去することができる。
【００６８】
臭い強度Ｍ１が第２基準値β寄りも高い場合（ステップＳ１４でＮＯのとき）、制御部９は、臭い強度が中強度であると判断し、イオンによる脱臭を中程度にするように、イオン発生器５を標準イオンモードで運転する（ステップＳ１６）。
【００６９】
イオン発生器５を標準イオンモードで駆動するとき、制御部９は、メモリ９１より電圧値及びデューティ値の予め決められた標準値をそれぞれ呼び出し、イオン発生器５の高電圧発生回路５５から出力されるパルス電圧を標準電圧値及び標準デューティ値にする指示を送る。高電圧発生回路５５は制御部９からの指示をもとに、放電電極５１１と誘電電極５１２に標準電圧値及び標準デューティ値のパルス電圧を印加する。
【００７０】
これにより、イオン発生器５で発生されるイオンが標準量となり、イオンによる脱臭と、フィルタ１５、２１１による脱臭とがバランスよく行われるので、室内の臭いの原因物質を効率よく除去することができる。なお、脱臭機Ａでは、室内でオートモード運転されたとき、イオン発生器５が標準イオンモードで運転されるように、第１基準値α及び第２基準値βとが設定されている。
【００７１】
イオン発生器５が弱イオンモード（ステップＳ１３）、強イオンモード（ステップＳ１５）及び標準イオンモード（ステップＳ１６）のいずれのイオン発生モードで運転されているときでも、制御部９は、オートモードによる運転を継続するかどうか判断する（ステップＳ１７）。制御部９がオートモードによる運転継続を確認したとき（ステップＳ１７でＹＥＳのとき）、ステップＳ１１の前、すなわち、もとに戻り、臭いセンサ７からの臭い強度Ｍ１を受け取る。
【００７２】
ユーザによる中止の命令があったとき等、制御部９がオートモードによる運転の継続を確認できなかったとき（ステップＳ１７でＮＯのとき）、オートモードを終了する。
【００７３】
このように、本発明にかかる脱臭機Ａでは、イオンで臭いの原因物質を分解する脱臭と、フィルタ１５、２１１で臭いの原因物質を捕集する脱臭とのうち、効率のよい脱臭方法が優位になるように、駆動するので、消費エネルギを抑えつつ効果的に室内の臭いの強度を調整することができる。また、臭い強度にあわせてイオン発生器５の放電回数、電極電圧を制御することで、常時、イオン発生器５を強イオンモードで運転する場合に比べて放電電極５１１及び誘電電極５１２の劣化が少ない。
【００７４】
本発明にかかる脱臭機の他の例について図面を参照して説明する。図７は図１、図２に示す脱臭機の動作モードの他の例を示すフローチャートである。図７に示す運転モードは室内の臭い強度が低いときの運転が異なる以外、図６に示す運転モードと同じである。よって、図６に示す運転モードと異なる臭い強度が低いときを特に詳しく説明する。
【００７５】
本発明にかかる空気調節装置は、制御部９は、ファンモータ３３を回転させ、脱臭機Ａの外部の外部空気を取り込む。このとき、制御部９は臭いセンサ７を起動させ、臭いセンサ７で外部空気の臭いを検出し、その臭いの強度を臭い強度Ｍ１として臭いセンサ７より受け取る（ステップＳ１１）。
【００７６】
臭い強度Ｍ１を受け取った制御部９は、予め決められている臭い強度の第１基準値αと比較する（ステップＳ１２）。臭い強度Ｍ１が第１基準値αよりも高いとき（ステップＳ１２でＹＥＳのとき）、制御部９は室内の臭いの強度が強いと判断し、イオン発生器５を弱イオンモードで運転する（ステップＳ１３）。弱イオンモードは図６の運転モードの弱イオンモードと同じである。
【００７７】
臭い強度Ｍ１が第１基準値αよりも低かったとき（ステップＳ１２でＮＯのとき）、制御部９は、臭い強度Ｍ１が第２基準値βと比較する（ステップＳ１４）。臭い強度Ｍ１が第２基準値βよりも低いとき（ステップＳ１４でＹＥＳのとき）、制御部９は室内の臭い強度が弱いと判断する。このとき、制御部９は計時部９２からの時間データを受け取り、動作時間Ｔの測定を開始する（ステップＳ１５１）。なお、制御部９による動作時間Ｔの測定は、計時部９２より動作開始時の時間データを受け取り、その後、一定の時間間隔で時間データを受け取り、最初の時間データとの差分を取るものを挙げることができる。また、制御部９又は計時部９２に備えられているタイマー回路を駆動して時間Ｔを測定するようにしてもよい。
【００７８】
ステップＳ１５１で動作時間Ｔの測定を開始した後、制御部９は、イオン発生器５を強イオンモードで運転する（ステップＳ１５）。強イオンモードは図６の運転モードの強イオンモードと同じである。イオン発生器５を強イオンモードで運転するとき、放電電極５１１及び誘電電極５１２に印加される電極電圧の電圧値及びデューティ値はそれぞれ、機器の最大値であり、放電電極５１１及び（又は）誘電電極５１２の劣化を早める。そこで、強イオンモードでの連続運転を制限する。制御部９は、動作時間Ｔが予め決められている制限時間Ｔ０を超えたかどうか確認する（ステップＳ１５２）。動作時間Ｔが制限時間Ｔ０を超えていない場合（ステップＳ１５２でＹＥＳの場合）、制御部９は、イオン発生器５に強イオンモードでの運転を継続させる。
【００７９】
動作時間Ｔが制限時間Ｔ０に到達した又は超えた場合（ステップＳ１５２でＮＯの場合）、制御部９は、イオン発生器５を標準イオンモードでの運転に切り替える（ステップＳ１６）。標準イオンモードは図６の運転モードの標準イオンモードと同じである。
【００８０】
また、臭い強度Ｍ１が第２基準値βよりも高い場合（ステップＳ１４でＮＯのとき）、制御部９は、臭い強度が中強度であると判断し、イオンによる脱臭を中程度にするように、イオン発生器５を標準イオンモードで運転する（ステップＳ１６）。標準イオンモードも他のイオンモードと同様、図６に示す運転モードの標準イオンモードと同じである。
【００８１】
イオン発生器５が弱イオンモード（ステップＳ１３）、強イオンモード（ステップＳ１５）及び標準イオンモード（ステップＳ１６）のいずれのイオン発生モードで運転されているときでも、制御部９は、オートモードによる運転を継続するかどうか判断する（ステップＳ１７）。制御部９がオートモードによる運転継続を確認したとき（ステップＳ１７でＹＥＳのとき）、ステップＳ１１の前、すなわち、基に戻り、臭いセンサ７からの臭い強度Ｍ１を受け取る。
【００８２】
ユーザによる中止の命令があったとき等、制御部９がオートモードによる運転の継続を確認できなかったとき（ステップＳ１７でＮＯのとき）、オートモードを終了する。
【００８３】
以上に示す運転モードでは、一定時間の間、室内の臭い強度に関係なく、イオン発生器５を強イオンモードで運転するので、短時間でイオンを室内にいきわたらせることができる。
【００８４】
また、図８に図７の運転モードの変形例を示す。図８に示すように、強イオンモードで一定時間運転した後に、制御部９は、改めて運転時間ｔを測定し（ステップＳ１５３）、イオン発生器５を標準イオンモードで運転する（ステップＳ１５４）。運転時間ｔが予め決められている制限時間ｔ０よりも短い場合（ステップＳ１５４でＹＥＳの場合）、制御部９は、標準イオンモードでの運転を継続する。運転時間ｔが予め決められている制限時間ｔ０になった或いは制限時間ｔ０を超えた場合、制御部９は、オートモードによる運転を継続するかどうかの判断に移る（ステップＳ１７）。
【００８５】
以上のように、強イオンモードで運転した後に、一定時間、標準イオンモードで運転することで、イオン発生器５が、強イオンモードによる駆動（放電電極５１１及び誘電電極５１２に最大電圧値及び（又は）最大デューティ値のパルス電圧を印加する）を長時間連続して行われるのを抑制することができる。これにより、イオン発生器５の劣化を抑制することができ、イオン発生器５の交換の頻度を減らすことができる。
【００８６】
上述の脱臭機Ａでは、イオン発生器５からのイオンの発生量によって強イオンモード、標準イオンモード、弱イオンモードの３つの動作モード備えているが、これに限定されるものではなく、さらに多くのモードを備えていてもよい。また、イオンによる臭い原因物質の分解がほとんど期待できない場合、弱イオンモードのときに、イオン発生器５の駆動を休止する休止モードとしてもよい。
【００８７】
また、制御部９が、各動作モードのとき、イオン発生器５からのイオン発生量を調整することに加えて、イオン発生器５からのイオン発生量が少ない（弱イオンモード）とき、送風機３から吹出される空気の量を増やすように送風機３を制御してもよい。送風機３から吹出される空気の量が増えることで、吸込口１３から吸込まれる空気の量が増える。これにより、フィルタ１５、２１１を通過する空気の量が増えるので、フィルタ１５、２１１で臭いの原因物質の捕集することによる脱臭能力を高めることができる。
【産業上の利用可能性】
【００８８】
本発明は、脱臭フィルタとイオン発生器を備える脱臭機、除湿機、空気清浄機、空気調和機等の空気調節装置に採用することができる。
【符号の説明】
【００８９】
１        本体ケース
１１      係合部
１１１    挿入口
１２      吹出口
１２１    ルーバー
１３      吸込口
１４      センサ用吸込口
１５      フィルタ
１６      ソケット
２        背面カバー
２１      吸込口
２１１    フィルタ
３        送風機
３１      ファンケーシング
３１１    ファン吹出口
３２      ファン
３３      ファンモータ
４        ダクト
４０      送風路
４１      中間部
４１１    発生孔
４１２    検出孔
４２      絞り部
４３      拡散部
５        イオン発生器
５１      イオン発生ユニット
５１０    支持基板
５１１    放電電極
５１２    誘電電極
５１３    ガードリブ
５２      収容ケース
５２１    係合爪
５３      イオン放出部
５３０    貫通孔
５４      ピンコネクタ
５５      高電圧発生回路
５６      記憶部
６        イオン検出器
６１      回路基板
６２      イオン捕集電極
６３      イオン検出回路
６４      保護体
７        臭いセンサ
８１      表示部
８２      操作部
９        制御部
【図１】
2012112592.tif 000003
【図２】
2012112592.tif 000004
【図３】
2012112592.tif 000005
【図４】
2012112592.tif 000006
【図５】
2012112592.tif 000007
【図６】
2012112592.tif 000008
【図７】
2012112592.tif 000009
【図８】
2012112592.tif 000010